(57)【要約】【課題】赤外線ポットによる赤外線放射時において、欺瞞を行う方位に対する放射強度が弱まることを防止し、かつ、各赤外線ポットから放射される赤外線が重なることを防止する赤外線ポット展開装置を提供する。【解決手段】赤外線を発生させることによって敵を欺瞞するための赤外線ポット１４を、艦艇１１から展開する赤外線ポット展開装置１０であって、複数の赤外線ポット１４を内部に格納する飛翔体１３と、艦艇１１に設置され、飛翔体１３を発射するための発射装置１２と、艦艇１１に固定されたアンカー１５ａと飛翔体１３とを連結する索１５ｂと、からなり、飛翔体１３は、着脱可能な分離部材１３ａと、分離部材１３ａを切り離すための分離装置１３ｅと、からなる【選択図】図３
2013242092.tif 000002
【特許請求の範囲】
【請求項１】
赤外線を発生させることによって敵を欺瞞するための赤外線ポットを、艦艇から展開する赤外線ポット拡散装置であって、
複数の前記赤外線ポットを内部に格納する飛翔体と、
前記艦艇に設置され前記飛翔体を発射するための発射装置と、
前記艦艇に固定されたアンカーと前記飛翔体とを連結する索と、からなり、
前記飛翔体は、着脱可能な分離部材と、
前記分離部材を切り離すための分離装置と、からなることを特徴とする赤外線ポット展開装置。
【請求項２】
赤外線を発生させることによって敵を欺瞞するための赤外線ポットを、艦艇から展開する赤外線ポット拡散方法であって、
複数の前記赤外線ポットを内部に格納する飛翔体と、
前記艦艇に固定されたアンカーと前記飛翔体とを連結する索と、を準備し、
前記飛翔体は、着脱可能な分離部材と、
前記分離部材を分離するための分離装置と、を有しており、
（Ａ）前記艦艇に設置され前記飛翔体を発射するための発射装置によって、前記飛翔体を発射し、
（Ｂ）飛翔中において、前記分離装置による前記分離部材の切り離しを行い、
（Ｃ）展開時間を制御しながら前記赤外線ポットを順に展開する、ことを特徴とする赤外線ポット展開方法。
【発明の詳細な説明】
【技術分野】
【０００１】
本発明は、赤外線を放射することで、敵等からの攻撃を欺瞞する赤外線ポットを展開する赤外線ポット展開装置及びこれによる展開方法に関する。
【背景技術】
【０００２】
敵等からの誘導飛翔体による攻撃を受けた場合、かかる誘導飛翔体に対して電波妨害や赤外線妨害を行うことでこれを回避する方法が用いられている。
【０００３】
電波妨害については、例えば、特許文献１に記載されているコーナーリフレクタが知られている。
特許文献１のコーナーリフレクタは、電波反射膜を有することによって、電波を入射してきた方向に反射することができる。また、特許文献１のコーナーリフレクタは、バルーンを有しており、これがボンベ等によって膨張することによって、電波反射膜が展開するようになっている。
そのため、例えば、空中で展開したコーナーリフレクタに、追尾用レーダ装置やミサイルのレーダシーカから電波が入射すると、コーナーリフレクタは、電波を入射してきた方向に反射することができるため、コーナーリフレクタをレーダのおとりにすることができる。
【０００４】
一方、赤外線妨害については、例えば、特許文献２に記載されているＩＲデコイが知られている。
特許文献２のＩＲデコイは、水上艦に搭載された発射筒から電波妨害弾及びＩＲデコイ弾を発射し、これが落下している間において、敵等から発射された誘導飛翔体を欺瞞するものである。
そのため、電波妨害弾とＩＲデコイ弾が同一高度まで達した後、分離機構が作動してＩＲデコイ弾を分離することで、誘導飛翔体の追尾セルの範囲内に電波妨害弾とＩＲデコイ弾が同時に位置することが可能となる。
また、誘導飛翔体が複合誘導方法で飛来した場合であっても、有効な妨害効果を持続することができる。
【先行技術文献】
【特許文献】
【０００５】
【特許文献１】特開平０４−３５５３８８号公報
【特許文献２】特開２０００−１２１２９８号公報
【発明の概要】
【発明が解決しようとする課題】
【０００６】
ここで、上記特許文献に記載されているようなＩＲデコイにおいて、図１のように、筒状からなる飛翔体３の内部に赤外線ポット４を格納した状態で、艦艇１に設置された発射装置２から発射し、所定時間後にこれを展開することによって赤外線ポット４を展開させて敵等を欺瞞することがある。
この場合、赤外線ポット４は上空において展開されるため、赤外線ポット４は飛翔体３からの慣性力を受けながら海上に落下することになり、図２（Ａ）に示すように、上空から見た場合において、複数の赤外線ポット４が楕円状を形成しながら落下してしまう場合があった。そのため、赤外線放出時において、方位によって放射強度の強弱が発生する結果、欺瞞を行う方位について放射強度が弱くなる可能性があるという問題が発生していた。
また、赤外線ポット４の落下形状が楕円状になった結果、図２（Ｂ）に示すように、赤外線ポット４の相互の距離が接近しているものが発生し、これらから放出された煙が重なる部分が生じることによって欺瞞効果が減少してしまうという問題が発生していた。
【０００７】
そこで、本発明の目的は、赤外線ポットによる赤外線放射時において、欺瞞を行う方位に対する放射強度が弱まることを防止し、かつ、各赤外線ポットから放射される赤外線が重なることを防止する赤外線ポット展開装置を提供することにある。
【課題を解決するための手段】
【０００８】
上記目的を達成するため、本発明によると、赤外線を発生させることによって敵を欺瞞するための赤外線ポットを、艦艇から展開する赤外線ポット拡散装置であって、
複数の前記赤外線ポットを内部に格納する飛翔体と、
前記艦艇に設置され前記飛翔体を発射するための発射装置と、
前記艦艇に固定されたアンカーと前記飛翔体とを連結する索と、からなり、
前記飛翔体は、着脱可能な分離部材と、
前記分離部材を切り離すための分離装置と、からなることを特徴とする赤外線ポット展開装置が提供される。
【０００９】
また、赤外線を発生させることによって敵を欺瞞するための赤外線ポットを、艦艇から展開する赤外線ポット拡散方法であって、
複数の前記赤外線ポットを内部に格納する飛翔体と、
前記艦艇に固定されたアンカーと前記飛翔体とを連結する索と、を準備し、
前記飛翔体は、着脱可能な分離部材と、
前記分離部材を分離するための分離装置と、を有しており、
（Ａ）前記艦艇に設置され前記飛翔体を発射するための発射装置によって、前記飛翔体を発射し、
（Ｂ）飛翔中において、前記分離装置による前記分離部材の切り離しを行い、
（Ｃ）展開時間を制御しながら前記赤外線ポットを順に展開する、ことを特徴とする赤外線ポット展開方法が提供される。
【発明の効果】
【００１０】
本発明によると、飛翔体とアンカーとが索によって連結している。そのため、飛翔体はアンカーを中心とした弧を描きながら飛翔することによって、赤外線ポットの放出位置を調整することが可能になる。
この構成によって、任意の方位に向けて赤外線ポットを放出することができるため、欺瞞を行う方位に対する放射強度が弱まることを防止することができる。
また、各赤外線ポット間の間隔を調整することができるため、各赤外線ポットから放射される赤外線が重なることを防止することができる。
【図面の簡単な説明】
【００１１】
【図１】従来技術における飛翔体を発射している際の模式図である。
【図２】従来技術における展開後の赤外線ポットについての模式図である。
【図３】本発明における赤外線ポット展開装置の模式図である。
【図４】本発明における飛翔体の模式図である。
【図５】本発明における赤外線ポットの模式図である。
【発明を実施するための形態】
【００１２】
本発明の好ましい実施形態を図面に基づいて説明する。なお、各図において共通する部分には同一の符号を付し、重複した説明を省略する。
【００１３】
図３は、本発明における赤外線ポット展開装置の模式図である。
この図において、１０は赤外線ポット展開装置、１１は艦艇、１２は発射装置、１３は飛翔体、１３ａは分離部材、１４は赤外線ポット、１５ａはアンカー、１５ｂは索である。
【００１４】
艦艇１１は、この例においては、甲板上に発射装置１２が設置されており、ここから赤外線ポット１４が搭載されている飛翔体１３を発射することができる。
発射装置１２は、敵の欺瞞を行いたい位置に従って、発射角度を調整できるようになっていることが望ましい。
なお、この例において、発射装置１２は甲板上に設置されているが、艦艇１１の側壁等に設置されていてもよい。
【００１５】
飛翔体１３は、例えば図４に示すように、内部に複数の赤外線ポット１４を格納しており、この例においては中空の筒形状である。
飛翔体１３は、この例においては、後端において取り外し可能な分離部材１３ａを有しており、分離部材１３ａは、発射後所定時間経過後や艦艇１１からの遠隔操作により、分離装置１３ｅによって所定のタイミングで分離することが可能になっている。分離装置１３ｅは、例えば、分離部材１３ａと本体との間に火工品等を設置しておき、これを爆発させることによって分離させる構成であってよい。
また、飛翔体１３は、例えばロケットモータ１３ｂを有しており、飛翔体１３が自ら推進力を発生させることが可能な構成であってもよい。
【００１６】
アンカー１５ａは、この例においては、艦艇１１の甲板に固定されており、索１５ｂの一端と連結している。また、索１５ｂは張力を有しており、他端において飛翔体１３の先端部と連結している。
この構成を有することによって、索１５ｂは、飛翔体１３を発射した直後において、飛翔体１３の先端部に対して張力を発生させることになる。これによって、飛翔体１３は、発射直後において先端部をアンカー１５ａ方向に向けた態勢を維持しながら飛翔を行う。
その後、飛翔体１３は、索１５ｂからの張力を受けることによって、アンカー１５ａを中心とした弧を描きながら飛翔を行う。そのため、飛翔中において、複数の赤外線ポット１４を所定の時間間隔において放出することによって、赤外線ポット１４の展開位置を調整することが可能になり、赤外線ポット１４間の間隔が所定の距離以上であって、かつ、一定になるように調整することが可能になる。
なお、飛翔体１３は、赤外線ポット１４を放出する前に、分離部材１３ａを切り離すことによって、赤外線ポット１４を放出可能にする構成としている。
【００１７】
赤外線ポット１４の展開は、例えば、図４における固定部１３ｃを設けておき、飛翔体１３からの放出後、所定のタイミングで固定されている赤外線ポット１４を随時切り離していく構造であってよい。
このタイミングについては、例えば、飛翔体１３内部に制御装置１３ｄを備えておき、予め決まったタイミング又は艦艇１１からの遠隔操作によって、赤外線ポット１４を随時切り離していく構造であってもよい。切り離しについては、例えば、固定部１３ｃと赤外線ポット１４の連結部を火工品によって切り離す構成であってよい。
【００１８】
上記構成によれば、飛翔体１３の先端部とアンカー１５ａとが、索１５ｂによって連結している。そのため、飛翔体１３はアンカー１５ａを中心とした弧を描きながら飛翔することによって、放出する赤外線ポット１４の放出位置を調整することができる。
これによって、任意の方位に向けて赤外線ポット１４を放出することができるため、欺瞞を行う方位に対する放射強度が弱まることを防止することができる。
また、各赤外線ポット１４間の間隔を調整することができるため、各赤外線ポット１４から放射される赤外線が重なることを防止することができる。
なお、この例において、索１５ｂは飛翔体１３の先端部に連結しており、飛翔体１３の後端部に位置する分離部材１３ａを切り離すことによって赤外線ポット１４を放出可能にする場合について説明を行ったが、索１５ｂが飛翔体の先端部以外（例えば、飛翔体１３の後端部や側部）に連結している構成であって、分離部材１３ａが後端部以外（例えば、先端部や側部）にある構成であってもよい。
【００１９】
赤外線ポット１４は、この例においては円柱形状であり、飛翔体１３からの分離後所定時間経過後や艦艇１１からの遠隔操作による所定のタイミングで赤外線の発生を開始する構造であってよい。
【００２０】
図５は、本発明における赤外線ポットの模式図である。
この図において、１４は赤外線ポット、１４ａはポット本体、１４ｂは噴出口である。
【００２１】
図５に示すように、ポット本体１４ａは、内部に発煙剤（図示しない）を充填しており、発煙剤の点火に伴って、赤外線の放射を開始する。発煙剤が点火された後、噴出口１４ｂから赤外線が放射される構成になっている。
この例において、噴出口１４ｂは２つであるが、１つ以上であれば数に制限はない。
【００２２】
本発明は上述した実施の形態に限定されず、本発明の要旨を逸脱しない範囲で種々変更を加え得ることは勿論である。
【符号の説明】
【００２３】
１  艦艇、２  発射装置、３  飛翔体、４  赤外線ポット、
１０  赤外線ポット展開装置、
１１  艦艇、１２  発射装置、１３  飛翔体、１３ａ  分離部材、
１３ｂ  ロケットモータ、１３ｃ  固定部、
１３ｄ  制御装置、１３ｅ  分離装置、
１４  赤外線ポット、１４ａ  ポット本体、１４ｂ  噴出口、
１５ａ  アンカー、１５ｂ  索
【図１】
2013242092.tif 000003
【図２】
2013242092.tif 000004
【図３】
2013242092.tif 000005
【図４】
2013242092.tif 000006
【図５】
2013242092.tif 000007